(57)【要約】【課題】  パネル等の対象物への取り付けを容易に行うことができ、しかも、構造が簡素なＥＭＩ対策型コネクタを提供する。【解決手段】  コネクタ１は、環状の金属製ブラケット３，４によってパネル２に取り付けられる。ブラケット３の内面には、延在した舌状のばね片３ａ１と多数の突起が設けられる。ブラケット４には、多数の穴が設けられる。各突起が各穴と係合することによって、両ブラケットは固定される。コネクタ６がコネクタ１と嵌合すると、コネクタ６の外殻部品６ａはコネクタ１のばね片を押圧するので、ばね片の反力によって、両コネクタは確実に接続する。【選択図】  図５
2005285590.tif 000002
【特許請求の範囲】
【請求項１】
対象物に取り付けられるコネクタにおいて、
前記コネクタは、前記対象物から突出する前面に環状のブラケットを有し、
前記ブラケットの内面には、延在した舌状のばね片が設けられ、
前記コネクタが相手側コネクタと嵌合するときに、前記ばね片は押圧され、前記ばね片の反力によって、前記コネクタが前記相手側コネクタと確実に接続することを特徴とするＥＭＩ対策型コネクタ。
【請求項２】
前記ブラケットは前記コネクタを前記対象物に固定する機能を有することを特徴とする請求項１記載のＥＭＩ対策型コネクタ。
【請求項３】
対象物に取り付けられるコネクタにおいて、
前記コネクタは、前記対象物から突出する前面に環状の第１のブラケットと、環状の第２のブラケットを有し、前記第２のブラケットは前記第１のブラケットに挿入され、
前記第１のブラケットの内面には、延在した舌状のばね片と複数の突起が設けられ、
前記第２のブラケットには、前記複数の突起がそれぞれ係合する複数の穴が設けられ、
前記コネクタが相手側コネクタと嵌合するときに、前記ばね片は押圧され、前記ばね片の反力によって、前記コネクタが前記相手側コネクタと確実に接続することを特徴とするＥＭＩ対策型コネクタ。
【請求項４】
前記第２のブラケットは前記コネクタを前記対象物に固定する機能を有することを特徴とする請求項３記載のＥＭＩ対策型コネクタ。
【請求項５】
前記ばね片が複数であることを特徴とする請求項１又は３記載のＥＭＩ対策型コネクタ。
【請求項６】
前記ブラケットが２つに分割され、それぞれにばね片が設けられていることを特徴とする請求項１記載のＥＭＩ対策型コネクタ。
【請求項７】
前記第１のブラケットが２つに分割され、それぞれにばね片が設けられていることを特徴とする請求項３記載のＥＭＩ対策型コネクタ。
【請求項８】
前記ブラケットが枠状構造部材によって被覆されることを特徴とする請求項１又は３記載のＥＭＩ対策型コネクタ。
【発明の詳細な説明】
【技術分野】
【０００１】
本発明は、パネルや筐体等の対象物に取り付けられるＥＭＩ（電磁障害）対策型コネクタに関する。
【背景技術】
【０００２】
第１の従来の技術では、レセプタクルコネクタをパネルにねじの締め付け力によって固定する。多くのコンピュータ用Ｉ／Ｏコネクタには、この技術が採用されている。
【０００３】
第２の従来の技術では、レセプタクルコネクタをパネルにリテーナクリップによって固定する（例えば、特許文献１参照。）。この技術について、以下に図１０を参照して説明する。
【０００４】
レセプタクルコネクタ３２の基部３３は、略長方形の枠状に形成され、基部３３の上部には、肩部３４が四周に向かって突出するように設けられる。また、基部３３の上部にソケット部３５が突出して設けられる。更に、ソケット部３５の長手方向の両側には、一対のラッチ板３６が配設され、各ラッチ板３６は肩部３４に固定される。更に、各ラッチ板３６の両側には、３角形状の係合部３６ａが突出するように形成される。なお、各ラッチ板３６の中央には、ラッチ開口３６ｂが形成される。
【０００５】
パネル３８の中央には、長方形の開口３８ａが形成される。
【０００６】
リテーナクリップ３１は、略長方形の枠に形成される。リテーナクリップ３１の開口３１ａの２隅には、開口３１ａの幅３１ｂ−３１ｂが狭くなるようにロックタブ３１ｃが突出して形成される。また、開口３１ａの他の２隅付近には、開口３１ａの幅３１ｂ−３１ｂが狭くなるようにロックタブ３１ｄが突出して形成される。
【０００７】
レセプタクルコネクタ３２をパネル３８に取り付ける方法を説明する。まず、レセプタクルコネクタ３２の各ラッチ板３６をパネル３８のラッチ開口３８ａの内に図示の位置から破線で示されるように挿入し、肩部３４がパネル３８の裏面に当接すると、レセプタクルコネクタ３２は停止する。次に、リテーナクリップ３１を図示の位置から破線で示されるように、すなわち、リテーナクリップ３１の開口３１ａの幅３１ｂ−３１ｂの部分が各ラッチ板３６の各係合部３６ａを通過するように、リテーナクリップ３１をパネル３８の表面に当接するまで移動させる。続いて、リテーナクリップ３１を矢印Ａ方向にパネル３８上でスライドさせると、各ロックタブ３１ｃ，３１ｄが各ラッチ板３６の各係合部３６ａの直下まで移動し、リテーナクリップ３１は停止する。この結果、レセプタクルコネクタ３２は、パネル３８に固定される。
【０００８】
【特許文献１】米国特許第６５１３２０６号明細書（第２欄第１６行−第５９行、図１）
【発明の開示】
【発明が解決しようとする課題】
【０００９】
第１の従来の技術では、コネクタのパネルへの固定にねじが使用されるため、ねじ構造のスペースが必要とされ、また、固定作業が煩雑である。
【００１０】
第２の従来の技術では、レセプタクルコネクタ３２の各係合部３６ａとパネル３８の間にリテーナクリップ３１を挿入するための隙間が必要である。この隙間が存在すると、レセプタクルコネクタ３２とパネル３８とリテーナクリップ３１を密着させることは、難しい。隙間の存在によって、電子装置内から電磁波漏洩による不要な輻射の発生が懸念され、また、外界から電子装置内に雑音が影響するので、電子装置の誤動作の原因となる。
【００１１】
そこで、本発明は、前記両従来の技術の欠点を改良し、パネル等の対象物への取り付けを容易に行うことができ、しかも、構造が簡素なＥＭＩ対策型コネクタを提供しようとするものである。
【課題を解決するための手段】
【００１２】
本発明は、前記課題を解決するため、次の手段を採用する。
【００１３】
１．対象物に取り付けられるコネクタにおいて、前記コネクタは、前記対象物から突出する前面に環状のブラケットを有し、前記ブラケットの内面には、延在した舌状のばね片が設けられ、前記コネクタが相手側コネクタと嵌合するときに、前記ばね片は押圧され、前記ばね片の反力によって、前記コネクタが前記相手側コネクタと確実に接続するＥＭＩ対策型コネクタ。
【００１４】
２．前記ブラケットは前記コネクタを前記対象物に固定する機能を有する前記１記載のＥＭＩ対策型コネクタ。
【００１５】
３．対象物に取り付けられるコネクタにおいて、前記コネクタは、前記対象物から突出する前面に環状の第１のブラケットと、環状の第２のブラケットを有し、前記第２のブラケットは前記第１のブラケットに挿入され、前記第１のブラケットの内面には、延在した舌状のばね片と複数の突起が設けられ、前記第２のブラケットには、前記複数の突起がそれぞれ係合する複数の穴が設けられ、前記コネクタが相手側コネクタと嵌合するときに、前記ばね片は押圧され、前記ばね片の反力によって、前記コネクタが前記相手側コネクタと確実に接続するＥＭＩ対策型コネクタ。
【００１６】
４．前記第２のブラケットは前記コネクタを前記対象物に固定する機能を有する前記３記載のＥＭＩ対策型コネクタ。
【００１７】
５．前記ばね片が複数である前記１又は３記載のＥＭＩ対策型コネクタ。
【００１８】
６．前記ブラケットが２つに分割され、それぞれにばね片が設けられている前記１記載のＥＭＩ対策型コネクタ。
【００１９】
７．前記第１のブラケットが２つに分割され、それぞれにばね片が設けられている前記３記載のＥＭＩ対策型コネクタ。
【００２０】
８．前記ブラケットが枠状構造部材によって被覆される前記１又は３記載のＥＭＩ対策型コネクタ。
【発明の効果】
【００２１】
明細書の説明から明らかなように、本発明は、次の効果を奏する。
【００２２】
１．コネクタは、金属製ブラケットを有するので、相手側コネクタとの接続部近傍の電磁シールドの作用を営む。
【００２３】
２．コネクタは、金属製ブラケットの内面に舌状のばね片が設けられているので、相手側コネクタと確実に接続する。
【００２４】
３．金属製ブラケットによって、コネクタは対象物に容易に取り付けられる。
【００２５】
４．金属製ブラケットが金属製の枠状構造部材によって被覆されるので、相手側コネクタとの接続部近傍の電磁シールドの作用が一層営まれ、また、構造が堅牢となる。
【００２６】
５．コネクタは、部品点数が少なく、構造が簡素で、組立分解が便利で、更に、コストが安価である。
【発明を実施するための最良の形態】
【００２７】
本発明の２つの実施例のＥＭＩ対策型コネクタについて説明する。
【実施例１】
【００２８】
本発明の実施例１について図１〜図５を参照して説明する。
【００２９】
本発明のコネクタとその関連部品の全体の組立前の斜視図を図１に示す。これらは、第１のコネクタ１、パネル２、第１の金属製ブラケット３と第２の金属製ブラケット４の組み合わせ構造体５及び第２のコネクタ６の４体から構成される。
【００３０】
図２は、組み合わせ構造体５の要素になるブラケット３とブラケット４の組み合わせフローの斜視図である。図２（Ａ）に示されるように、ブラケット４は、外縁部４ａによって略環状構造に構成される。ブラケット３は、図２（Ｂ）に示されるように、上下に２つに分割された半枠状構造に構成される。ブラケット３とブラケット４は、いずれも金属材料から製造される。各ブラケット３の内面には、弾性を有する多数のばね片３ａ１が１列に配設されている。各ブラケット３は、各ばね片３ａ１を有する水平面部３ａと狭い幅の両側面部３ｂとから構成される。各ブラケット３は、水平面部３ａの長手方向に対して直角方向にブラケット４の外縁部４ａにはめ込まれることによって取り付けられる。このとき、図２（Ｃ）に示されるように、ブラケット４の外縁部４ａは、各ブラケット３の各ばね片３ａ１と水平面部３ａによって上下方向から挟持される。ブラケット４の長手方向の外縁部４ａには、多数の穴４ａ１が１列に開けられ、また、各ブラケット３の水平面部３ａには、各ばね片３ａ１に向かって多数の突起３ａ２が１列に設けられている。図２（Ｄ），（Ｅ）に示されるように、各突起３ａ２が各穴４ａ１に係合することによって、各ブラケット３は、各ブラケット４に固定されて電気的に接続される。
【００３１】
図３は、第１のコネクタ１と組み合わせ構造体５がパネル２の開口２ａに取り付けられた状態の斜視図である。第１のコネクタ１の左右両側には、金属製の固定板１１，１２が付随する。固定板１１，１２は、第１のコネクタ１の外殻部品１３と電気的に接続している。組み合わせ構造体５と固定板１１，１２は、パネル２の開口２ａを貫通した第１のコネクタ１に装着される。組み合わせ構造体５は、第１のコネクタ１をパネル２に固定する。
【００３２】
図４は、第２のコネクタ６が第１のコネクタ１と嵌合している状態の斜視図である。
【００３３】
図５は、図４の状態における断面図である。各ブラケット３の各ばね片３ａ１は、弾性変形して第２のコネクタ６の外殻部品６ａと接触している。これによって、第２のコネクタ６、ブラケット３、ブラケット４、パネル２及び第１のコネクタ１は、電気的に接続され、回路の接地として働く。各ブラケット３の各ばね片３ａ１は、第２のコネクタ６の外殻部品６ａと第１のコネクタ１との接続部近傍を取り囲むように配設されているため、これらは、金属製のかごの役割を果すので、電磁放射に対するシールドの作用を営む。
【実施例２】
【００３４】
本発明の実施例２について図６〜図９を参照して説明する。ただし、実施例２についての説明は、実施例１と同様な点の説明を省略し、相違する点の説明のみを行う。
【００３５】
図６は、本発明のコネクタとその関連部品の全体の組立前の斜視図である。これらは、第１のコネクタ１、パネル２、第１の金属製ブラケット３と第２の金属製ブラケット４の組み合わせ構造体５、組み合わせ構造体５の全周を被覆する枠状構造部材７及び第２のコネクタ６の５体から構成される。
【００３６】
図７は、枠状構造部材７が組み合わせ構造体５に装着された状態の斜視図である。
【００３７】
図８は、第２のコネクタ６が第１のコネクタ１と嵌合している状態を示す。枠状構造部材７は、組み合わせ構造体５を被覆しているが、第２のコネクタ６とは機械的に接続していない。
【００３８】
図９は、図８の状態における断面図である。枠状構造部材７は、組み合わせ構造体５を被覆することによって、第１のコネクタ１と第２のコネクタ６の接続部近傍を同時に取り囲む。枠状構造部材７は、金属製の場合には、第１のコネクタと第２のコネクタ６の接続部近傍の内外両部からの電磁放射に対するシールドの作用を営む。更に、枠状構造部材７は、第１のコネクタ１と第２のコネクタ６の接続部近傍を機械的に保護する役割を果す。
【００３９】
また、第２のコネクタ６が第１のコネクタ１と嵌合する場合、枠状構造部材７に設けられている面取り７ａは第２のコネクタ６をガイドするので、両コネクタ６，１は適正に嵌合する。
【００４０】
本発明の各実施例１，２においては、ブラケット３は、２つに分割されているが、一体に構成することもできる。更に、ブラケット３とブラケット４を単一部品に構成することもできる。
【００４１】
また、各ブラケット３に多数のばね片３ａ１が設けられているが、単一のばね片を設けるように設計変更することもできる。
【００４２】
更に、各実施例１，２では、各ブラケット３，４及び枠状構造部材７が金属製の場合で説明したが、これらを導電性樹脂により成形するか、又は、樹脂で成形した後、メッキ、蒸着等により表面に金属膜を形成するようにしてもよい。このようにすると、コネクタの軽量化が図れる。
【図面の簡単な説明】
【００４３】
【図１】本発明の実施例１のＥＭＩ対策型コネクタとその関連部品の全体の組立前の斜視図である。
【図２】同コネクタにおける組み合わせ構造体の要素になる第１のブラケットと第２のブラケットの諸斜視図であり、（Ａ）は第２のブラケット、（Ｂ）は第１のブラケット、（Ｃ）は組立後の両ブラケット、（Ｄ）は（Ｃ）の断面図、（Ｅ）は（Ｄ）におけるトラック状の枠内の拡大図を、それぞれ示す。
【図３】同コネクタ及び同組み合わせ構造体がパネルに取り付けられた状態と同パネルに隠れた部分の各斜視図である。
【図４】同パネルに取り付けられた状態の同コネクタ及び同組み合わせ構造体と相手側コネクタの嵌合状態の斜視図である。
【図５】図４の状態における断面図であり、（Ａ）は斜視図、（Ｂ）は側面図を、それぞれ示す。
【図６】本発明の実施例２のＥＭＩ対策型コネクタとその関連部品の全体の組立前の斜視図である。
【図７】同コネクタの組み合わせ構造体に枠状構造部材が装着された状態の斜視図である。
【図８】同コネクタに相手側コネクタが嵌合している状態の斜視図である。
【図９】図８の状態における断面図であり、（Ａ）は斜視図、（Ｂ）は側面図を、それぞれ示す。
【図１０】第２の従来の技術のレセプタクルコネクタとその関連部品の組立前の斜視図である。
【符号の説明】
【００４４】
１  第１のコネクタ（コネクタ）
２  パネル
２ａ  開口
３  ブラケット（第１の金属製ブラケット）
３ａ  水平面部
３ａ１  ばね片
３ａ２  突起
３ｂ  側面部
４  ブラケット（第２の金属製ブラケット）
４ａ  外縁部
４ａ１  穴
５  組み合わせ構造体
６  第２のコネクタ（相手側コネクタ）
６ａ  外殻部品
７  枠状構造部材
７ａ  面取り
１１  固定板
１２  固定板
１３  外殻部品
【図１】
2005285590.tif 000003
【図２】
2005285590.tif 000004
【図３】
2005285590.tif 000005
【図４】
2005285590.tif 000006
【図５】
2005285590.tif 000007
【図６】
2005285590.tif 000008
【図７】
2005285590.tif 000009
【図８】
2005285590.tif 000010
【図９】
2005285590.tif 000011
【図１０】
2005285590.tif 000012